(57)【要約】      （修正有）【課題】カラオケ歌唱中の脳活性化情報を可視化し、脳活性化に役立つカラオケを提供する。【解決手段】カラオケにおいて、歌唱時にヘッドセット型の携帯型脳活動測定装置（「脳センサー」）を装着し、あらかじめ歌唱前の安静時に脳活性情報を測定しておき、歌唱中の脳活性情報と前記安静時の脳活性情報の差分を、歌唱進行に紐づけて表示することを特徴とする。【選択図】図１
2019207282.tif 000002
【特許請求の範囲】
【請求項１】
カラオケの歌唱において、歌唱者は脳活性を測定する機器を装着し、
あらかじめ歌唱前の安静時に脳活性情報を測定しておき、
歌唱中の脳活性情報と前記安静時の脳活性情報の差分を、
歌唱進行に紐づけて表示することを特徴とするカラオケシステム。
【請求項２】
前記請求項１記載のカラオケシステムにおいて、前記脳活性情報の進行ログを蓄積することを特徴とする請求項１記載のカラオケシステム。
【請求項３】
前記カラオケシステムにおいて、前記蓄積する脳活性情報の進行ログに歌詞のある部分かどうかとマイク入力音量を付加することを特徴とする請求項１乃至請求項２記載のカラオケシステム。
【請求項４】
上記進行ログを蓄積し、前記請求項２及び請求項３の情報の相関を解析することにより、
前記カラオケシステムにおいて前記脳活性を測定する機器を装着しない場合でも請求項１記載の脳活性化情報の推定値を歌唱の進行に紐づけて表示することを特徴とするカラオケシステム。
【請求項５】
前記カラオケシステムにおいて、複数の参加者が前記脳活性を測定する機器を装着し、複数の参加者の歌唱中における脳活性情報のシンクロナイズ度合を表示することを特徴とする請求項１記載のカラオケシステム。
【発明の詳細な説明】
【技術分野】
【０００１】
本発明は、カラオケ歌唱中の脳活性化情報を取得するカラオケ装置に関する。
【背景技術】
【０００２】
我々が通常行っているカラオケで「歌う」という行為は、予め記憶された旋律の音程の推移に、表示された歌詞を割り付けて発声する作業であり、脳としては意外に複雑な作業を行っているものである。
カラオケが脳機能の活性化に一定の効果があることが一部で注目されてきている。
歌うことで認知症のリスク軽減！カラオケで認知症を予防しよう | 健康生活
http://health-to-you.jp/dementia/karaokeyobou0219/
[介護予防事業]「脳トレ元気塾」をスタート〜カラオケと運動で脳トレ
https://www.city.kiyose.lg.jp/s004/050/060/140/20141008170143.html
【０００３】
一方、近年では脳の動きを簡易に測定する装置としてヘッドセット型のＮＩＲＳ（近赤外光脳機能イメージング装置）を装着することにより簡便な測定が可能となった。
【０００４】
しかし、このＮＩＲＳをエンタテインメントとして表示・指数化する提案はまだされていない。
【先行技術文献】
【特許文献】
【０００５】
【特許文献１】特開2018-36615号公報
【非特許文献】
【０００６】
【非特許文献１】次世代脳トレ「ブレインフィットネス」http://neu-brains.co.jp/service/brainfitness/
【非特許文献２】LABNIRS(ラボニルス)(島津製作所)https://www.an.shimadzu.co.jp/bio/nirs/nirs2.htm
【発明の概要】
【発明が解決しようとする課題】
【０００７】
特許文献１は本発明の発明者が出願したもので、カラオケの歌唱機能を利用して、より脳トレに役立つカラオケ装置を提供するため、カラオケ画面において、歌唱が始まると、これから歌うフレーズの行の歌唱部分を歌唱タイミングの一定時間前に消去するというものである。
【０００８】
非特許文献１は、（株）ＮｅＵ社による脳トレの光トポグラフィ（NIRS）技術を活用した携帯型脳活動測定装置で、脳活動は手軽に簡単に測ることができ、「脳センサー」をつけて脳トレをすることにより、そのトレーニングが脳に効いているか、脳が活性化しているかリアルタイムでわかるというものである。
【０００９】
非特許文献２は、島津製作所の近赤外光脳機能イメージング装置である。
【００１０】
上記技術はよく知られているが、これらを応用したカラオケ装置の提案を発見することはできなかった。
【課題を解決するための手段】
【００１１】
前記課題を解決するため本発明の請求項１は、
カラオケの歌唱において、歌唱者は脳活性を測定する機器を装着し、
あらかじめ歌唱前の安静時に脳活性情報を測定しておき、
歌唱中の脳活性情報と前記安静時の脳活性情報の差分を、
歌唱進行に紐づけて表示することを特徴とするカラオケシステムである。
【００１２】
また、本発明の請求項２は、
前記請求項１記載のカラオケシステムにおいて、前記脳活性情報の進行ログを蓄積することを特徴とする請求項１記載のカラオケシステムである。
【００１３】
本発明の請求項３は、
前記カラオケシステムにおいて、前記蓄積する脳活性情報の進行ログに歌詞のある部分かどうかとマイク入力音量を付加して、歌唱すべき箇所で歌唱しているかの情報を含めることを特徴とする請求項１乃至請求項２記載のカラオケシステムである。
【００１４】
本発明の請求項４は、
上記進行ログを蓄積し、前記請求項２及び請求項３の情報の相関を解析することにより、
前記カラオケシステムにおいて前記脳活性を測定する機器を装着しない場合でも請求項１記載の脳活性化情報の推定値を歌唱の進行に紐づけて表示することを特徴とするカラオケシステムである。
【００１５】
本発明の請求項５は、
前記カラオケシステムにおいて、複数の参加者が前記脳活性を測定する機器を装着し、複数の参加者の歌唱中における脳活性情報のシンクロナイズ度合を表示することを特徴とする請求項１記載のカラオケシステムである。
【発明の効果】
【００１６】
これにより、カラオケ歌唱時の脳活性情報をモニタすることができ、さらに歌唱進行による脳活性状況を記録しデータベース化することで、カラオケを使った脳トレ効果を「見える化」することができる。
また、前記脳活性情報は、楽曲毎のデータであってもよい。
【図面の簡単な説明】
【００１７】
【図１】本発明の実施例に係るシステム構成図
【発明を実施するための形態】
【００１８】
本発明の実施イメージを図１に示す。
【００１９】
請求項１の実施例では、歌唱者はヘッドセット型のNIRS脳センサー１を装着する。
歌唱者はあらかじめ歌唱開始前の安静な状態で脳活性情報を測定しておき、
歌唱時にはＮＩＲＳ脳センサー１は、カラオケ装置２に脳活性情報を送り、カラオケ装置２は当該脳活性情報と前記測定済みの安静時脳活性情報との差分を楽曲の進行と同期させてカラオケモニタ３に表示する。
【００２０】
また、請求項２の実施例としては、カラオケ装置２は前記取得した差分情報を楽曲の進行と併せてログとして保存する。
【００２１】
請求項４の実施例では前記請求項２で保存したログを用いて、ＮＩＲＳ脳センサーの無い環境においても保存された前記ログを使用して、楽曲の進行に伴う脳活性情報の変化を表示する。
【００２２】
請求項５の実施例では、ＮＩＲＳ脳センサーのヘッドセットを、歌唱者を含む複数のメンバーが装着し、歌唱楽曲の進行に伴い全メンバーの脳活性情報をシンクロナイズした画面（シンクロ図４）で表示するというものである。
【符号の説明】
【００２３】
１    ＮＩＲＳ脳センサー（ヘッドセット）
２    カラオケ装置
３    カラオケモニタ
４    シンクロ図
【図１】
2019207282.tif 000003